(57)【要約】【課題】歯車の噛み合い面の潤滑状態を改善し、潤滑剤の充填回数を減らすことができる伝動ケースを備えた動力伝達装置を提供する。【解決手段】ケース本体（１１）の内部空間（１１Ｃ）の上方に配置されて互いに噛み合う第１，第２の歯車（１３，１７）を対象として、上記内部空間（１１Ｃ）内に充填した潤滑剤を用いて潤滑を行う潤滑構造を備えた伝動装置において、上記第１、第２の歯車（１３，１７）の一方（１７）が支持されて縦方向に軸線を設定されている従動軸（１６）の一部に回転力により上記内部空間（１１Ｃ）底部に溜まっている潤滑剤をかき回して、上記第１もしくは第２、又は第１および第２の歯車に向けて潤滑剤を飛翔させる潤滑剤放散手段（２４）を設けたことを特徴とする。【選択図】    図１
2004322521.tif 000002
【特許請求の範囲】
【請求項１】
原動機により駆動される駆動軸（１２）の軸端に設けられた第１の歯車（１３）と、該駆動軸（１２）と異なる軸線方向を有する従動軸（１６）の軸方向他端に位置する第２の歯車（１７）と、上記第１，第２の歯車（１３，１７）同士を内部空間（１１Ｃ）に配置可能なケース本体（１１）とを備え、上記第１，第２の歯車（１３，１７）は、その噛み合い位置が上記ケース本体（１１）の内部空間（１１Ｃ）における上方位置に設定され、内部空間（１１Ｃ）に潤滑剤が充填される伝動ケースを備えた動力伝達装置において、
上記従動軸（１６）の一部に回転力により内部空間（１１Ｃ）底部に溜まっている潤滑剤をかき回して第１もしくは第２、又は第１および第２の歯車に向けて潤滑剤を飛翔させる潤滑剤放散手段（２４）を設けた潤滑構造を備えたことを特徴とする動力伝達装置。
【請求項２】
請求項１記載の潤滑構造を備えた動力伝達装置を、刈払機に用いたことを特徴とする動力伝達装置。
【請求項３】
請求項１又は請求項２記載の動力伝達装置において、
上記潤滑剤放散手段（２４）は、上記回転軸（１６）自体に直接加工されて設けられていることを特徴とする動力伝達装置。
【請求項４】
請求項１乃至３のうちの一つに記載の動力伝達装置において、
潤滑剤放散手段は、螺旋状羽根（２５Ａ）を有する跳ねかけ手段（２５）であることを特徴とする動力伝達装置。
【発明の詳細な説明】
【０００１】
【発明の属する技術分野】
本発明は、潤滑装置およびこれを用いる動力伝達装置に関し、さらに詳しくは、歯車を伝達部材として用いる構成を対象とした潤滑構造に関する。
【０００２】
【従来の技術】
動力伝達装置を用いる装置の一つに刈払機がある。刈払機は、中空筒状の操作桿の一端において回転自在に設けられた刈刃と、操作桿の他端に設けたエンジンなどの原動機とを備え、原動機による刈刃駆動用の動力が操作桿内に挿通された駆動軸を介して伝達されるようになっている。
駆動軸と刈刃との間には、伝動ケースが設けられ、伝動ケース内に配置されている複数の傘歯車の一つを駆動軸側に設け、他の一つを刈刃側の従動軸に設けて互いに噛み合わせることで駆動軸から刈刃側への動力伝達が行われる。
伝動ケースは、例えば、図３に示すように、傘歯車を用いて軸線方向を異にする軸同士を連動させる構成を備えている（例えば、特許文献１）。
【０００３】
図３において、伝動ケース１０は、下方が開口する有底筒状のケース本体１１と、ケース本体１１の側面において駆動軸１２の一端が挿入される側筒部１１Ａとを備えている。側筒部１１Ａには、駆動軸１２の軸端に取り付けられた第１の傘歯車１３が軸受け１４により回転自在に支持されており、第１の傘歯車１３には、これと軸線方向を異にして刈刃１５側の従動軸１６に取り付けられている第２の傘歯車１７が噛み合うように設けられている。第２の傘歯車１７を一端に取り付けられている従動軸１６は、ケース本体１１内に設けられている軸受け１８，１９により回転自在に支持されている。
【０００４】
刈刃１５は、従動軸１６に装填されると、図３において上下面を挟持部材２０，２１により挟持された状態で従動軸１６に対して挟持部材の一方が締結されることにより従動軸１６と一体的に支持されており、駆動軸１２側の回転動力が第１の傘歯車１３および第２の傘歯車１７に伝えられるのに連動して回転できるようになっている。
なお、図３において符号２２は伝動ケース内への塵や埃の進入を阻止するカバーを示している。
【０００５】
ケース本体１１にはその側壁に給油口１１Ｂが設けてあり、本体１１の内部に配置されている第１，第２の傘歯車１３，１７に対する潤滑剤を充填できるようになっている。本体１１の内部において第１，第２の傘歯車１３，１７が噛み合う内部空間１１Ｃには潤滑剤が充満させてある。
【０００６】
【特許文献１】
特開平１０−１２２４８５号公報（段落「０００３」、「０００４」欄、図５）
【０００７】
【発明が解決しようとする課題】
ところで、伝動ケース１０内に用いられる潤滑剤は、適当な粘性を持たせることで歯車の噛み合い面への付着性を維持できることから、液状と違って粘性があるグリースが用いられる。
図３に示したように、ケース本体１１の内部空間１１Ｃにおいて第１，第２の傘歯車１３，１７の噛み合い面が内部空間底部ではなく上面側に位置した噛み合い状態を設定した場合、グリース充填量が減ってくると、歯車にグリースが行き届かなくなり、符号Ｇで示すように、グリースが内部空間１１Ｃの底部および壁面に溜まりやすくなり、歯車同士の噛み合い面にグリースが行き渡りにくくなる。
【０００８】
特に刈払機に用いる伝動ケースの場合、７０００ＲＰＭを超える高回転で使用されることが多く、潤滑不足による歯車損傷の危険が高く、従来は頻繁にグリースを充填する必要があった。
【０００９】
本発明の目的は、上記従来の潤滑構造における問題に鑑み、歯車噛み合い面への潤滑を適正化して潤滑剤の充填回数などが増加するような事態を解消できる構成を備えた動力伝達装置を提供することにある。
【００１０】
【課題を解決するための手段】
請求項１記載の発明は、原動機により駆動される駆動軸（１２）の軸端に設けられた第１の歯車（１３）と、該駆動軸（１２）と異なる軸線方向を有する、従動軸（１６）の軸方向他端に位置する第２の歯車（１７）と、上記第１，第２の歯車（１３，１７）同士を内部空間（１１Ｃ）に配置可能なケース本体（１１）とを備え、上記第１，第２の歯車（１３，１７）は、その噛み合い位置が上記ケース本体（１１）の内部空間（１１Ｃ）における上方位置に設定され、内部空間（１１Ｃ）に潤滑剤が充填される伝動ケースを備えた動力伝達装置において、上記従動軸（１６）の一部に回転力により内部空間（１１Ｃ）底部に溜まっている潤滑剤をかき回して第１もしくは第２、又は第１および第２の歯車に向けて潤滑剤を飛翔させる潤滑剤放散手段（２４）を設けた潤滑構造を備えたことを特徴としている。
【００１１】
請求項２記載の発明は、請求項１記載の潤滑構造を備えた動力伝達装置を、刈払機に用いたことを特徴としている。
【００１２】
請求項３記載の発明は、請求項１又は請求項２記載の発明に加えて、上記潤滑剤放散手段（２４）は、上記回転軸（１６）自体に直接加工されて設けられていることを特徴としている。
【００１３】
請求項４記載の発明は、請求項１乃至３のうちの一つに記載の発明に加えて、潤滑剤放散手段は、螺旋状羽根（２５Ａ）を有する跳ねかけ手段（２５）であることを特徴としている。
【００１４】
【発明の実施の形態】
以下、図面により本発明の実施の形態を説明する。
図１は、本発明の実施形態による潤滑構造を備えた刈払機用動力伝達装置の構成を示す図であり、図３に示した部材と同じ構成部品については同符号により示しその説明を省く。
図１に示した実施形態は、刈刃１５側に位置する従動軸１６の一部に、伝動ケース１０の内部空間底部に溜まっている潤滑剤、この場合にはグリースを飛翔させる構成を備えたことを特徴としている。
【００１５】
図１において、従動軸１６の軸方向において内部空間１１Ｃの底部側の位置には、ディスク状の潤滑剤放散手段２４が設けられている。
潤滑剤放散手段２４は、従動軸１６において軸受け１９側の外径部と第２の歯車１７の取り付け位置の外径部とを連続させる円錐部１６Ａ（第１，第２の歯車同士の傾斜角を設定した際に第１の歯車１３が従動軸１６に干渉しないように外径寸法を変化させるための部分）における軸受け１９の直上位置の外周面に一体形成されており、その外径は、第１の歯車１３に干渉しない大きさとされている。軸受け１９の直上位置に潤滑剤放散手段２４を設けることにより、内部空間１１Ｃの底部に溜まっている潤滑剤との接触機会を多くするようになっている。
潤滑剤放散手段２４は、従動軸１６の外径切削時にフランジ部として加工されることにより従動軸１６に直接加工させた部分である。
【００１６】
本実施形態は以上のような構成であるので、従動軸１６の加工時に潤滑剤放散手段２４が直接フランジ状に加工される。
従動軸１６が伝動ケース１０の内部空間１１Ｃ内に挿通された状態で駆動軸１２からの回転が伝達されると、潤滑剤放散手段２４も回転し、遠心力により内部空間１１Ｃの底部に溜まっている潤滑剤をかき回し、飛翔させることができる。これにより飛翔沫となった潤滑剤の一部は、内部空間１１Ｃで歯車１３や１７に付着し、歯車同士の噛み合い面にも達し、噛み合い面の潤滑状態が得られる。
【００１７】
本実施形態によれば、従動軸１６の加工時にフランジ部を設けるだけで潤滑剤放散手段２４が形成できるので、従動軸１６の加工工程に要する時間を多少増加するだけで歯車同士の潤滑機能を高める構成を得ることができる。
【００１８】
次に本発明の別の実施形態について説明する。
図２は、別の実施形態を説明するための図であり、同図に示す実施形態は、内部空間１１Ｃの底部に溜まっている潤滑剤の飛翔効率を高めるようにしたことを特徴としている。
【００１９】
図２（Ａ）において、伝動ケース１０の内部空間１１Ｃ内に挿通されている従動軸１６の一部には、その外周面に螺旋羽根２５Ａを備えた潤滑剤跳ねかけ手段２５が設けられている。
潤滑剤跳ねかけ手段２５の螺旋羽根２５Ａは、図２（Ｂ）に示すように、従動軸１６における円錐部１６Ａの外周面で周方向に複数形成されており、その螺旋の形成方向は、従動軸１６の回転時に発生する遠心力により内部空間１１Ｃの底部に溜まっている潤滑剤が内部空間１１Ｃの上方に向けて移動する方向とされ、螺旋羽根の一部が軸受け１９の直上に位置するようになっている。この位置関係は図１に示した潤滑剤放散手段２４の場合と同様に、内部空間１１Ｃの底部に溜まっている潤滑剤との接触機会を多くするためのである。
【００２０】
本実施形態は以上のような構成であるので、従動軸１６の円錐部１６Ａの位置へ螺旋羽根２５Ａを圧入することにより潤滑剤跳ねかけ手段２５が構成される。
従動軸１６が伝動ケース１０の内部空間１１Ｃ内に挿通された状態で駆動軸１２からの回転が伝達されると、潤滑剤跳ねかけ手段２５も回転し、遠心力により内部空間１１Ｃの底部に溜まっている潤滑剤をかき回すとともに螺旋羽根２５Ａに沿って跳ね上げることができる。これにより螺旋はね２５Ａに沿って跳ね上げられた潤滑剤の一部は、内部空間１１Ｃで上方に位置する歯車同士の噛み合い面に達しやすくなり、噛み合い面に付着することで潤滑状態が得られる。
【００２１】
本実施形態によれば、内部空間１１Ｃに一部が接触している螺旋羽根２５Ａの遠心力によって内部空間１１Ｃの上方に向け潤滑剤が掬い上げられて誘導されやすくなるので、単に潤滑剤をかき回して飛翔させる場合に比べて直接潤滑剤を潤滑を必要とする箇所に向けることができる。これにより、潤滑を必要とする箇所で潤滑剤が不足するような事態を確実に防止することができる。
しかも、内部空間１１Ｃの底部に溜まっている潤滑剤が上方の噛み合い位置に向けて掬い上げられることになるので、内部空間１１Ｃの底部で潤滑剤が溜まったままとなる状態が低減されることにより、例えば、グリースのような温度上昇により粘度が低下する潤滑剤を用いた場合等のように、その部分から軸受け１９側に浸透して漏洩する潤滑剤の量も少なくされることになり、従来必要とされていた軸受けのシール構造も簡易なものとすることも可能となる。
【００２２】
【発明の効果】
請求項１記載の発明によれば、第１，第２の歯車の一方が支持されて縦方向に軸線を設定されている回転軸の一方に回転力により空間底部に溜まっている潤滑剤をかき回して歯車同士の噛み合い面に向けて潤滑剤を飛翔させる潤滑剤跳ねかけ手段を設けているので、潤滑剤が空間底部に集約していても歯車の噛み合い面を十分に潤滑させることが可能となり、潤滑剤の充填回数も少なくなる。
【００２３】
請求項２記載の発明によれば、高回転で使用される刈払機において、伝動ケースの潤滑を充分に行えて歯車損傷を抑えることができ、更に面倒な潤滑剤の充填回数を大幅に減らすことができる。
【００２４】
請求項３記載の発明によれば、回転軸自体に潤滑剤放散手段が直接加工されるので、特別な構造部材の付加を要することがなく潤滑剤飛翔のための構成部材の組み合わせなどによる複雑化を招くことがないとともに、本来、外径切削などの加工対象部品とされている回転軸の加工時に潤滑剤放散手段を加工するだけで済ませることで加工コストの上昇を抑えることが可能となる。
【００２５】
請求項４記載の発明によれば、回転軸の外周面に形成された螺旋状羽根を用いることにより、空間底部に溜まっている潤滑剤のかき回しおよび跳ね上げ効率を高めて歯車同士の噛み合い面に対する潤滑効率を高めることが可能となる。
【図面の簡単な説明】
【図１】本発明の実施形態による潤滑構造を用いた刈払機用動力伝達装置の要部を示す図である。
【図２】本発明の別の実施形態による潤滑構造を用いた刈払機用動力伝達装置の要部を示す図であり、（Ａ）は全体構成を、（Ｂ）は（Ａ）に示した構成に用いられる潤滑剤跳ねかけ手段の要部構成を示す斜視図である。
【図３】従来の刈払機用動力伝達装置に用いられる潤滑構造の一例を示す図である。
【符号の説明】
１０                伝動ケース
１１                ケース本体
１１Ａ              側筒部
１１Ｂ              給油口
１１Ｃ              内部空間
１２                回転軸の一つである駆動軸
１３                第１の歯車
１６                回転軸の他の一つである従動軸
１７                第２の歯車
１４，１８，１９        軸受け
２４                潤滑剤放散手段
２５                潤滑剤跳ねかけ手段
２５Ａ              螺旋羽根
【図１】
2004322521.tif 000003
【図２】
2004322521.tif 000004
【図３】
2004322521.tif 000005